(57)【要約】【課題】コストの増加や保守点検時の作業性の悪化を伴うことなく、制御装置を昇降路内の狭い範囲に適切に設置することができるエレベーター装置を提供する。【解決手段】エレベーターの昇降路１内を昇降するかごと、昇降路１内に設けられた巻上機及び制御装置３とを備える。制御装置３には、巻上機への給電及び巻上機の制御を行うための機器が、幅よりも厚みが小さい複数の筐体４乃至６に収められている。筐体４乃至６は、かごの昇降空間と一側の昇降路壁７との間に、その厚み方向に並んで配置されている。【選択図】図１
2012240775.tif 000002
【特許請求の範囲】
【請求項１】
エレベーターの昇降路内を昇降するかごと、
前記昇降路内に設けられ、前記かごを駆動するための巻上機と、
前記昇降路内に設けられ、前記巻上機への給電及び前記巻上機の制御を行うための機器が、幅よりも厚みが小さい複数の筐体に収められた制御装置と、
を備え、
前記制御装置は、少なくとも２つの前記筐体が、前記かごの昇降空間と一側の昇降路壁との間に、その厚み方向に並んで配置されたエレベーター装置。
【請求項２】
前記昇降路の固定体に設けられた支持装置と、
を備え、
前記制御装置は、少なくとも１つの前記筐体が、前記支持装置によってその幅方向に移動自在に支持された請求項１に記載のエレベーター装置。
【請求項３】
前記昇降路の固定体に設けられた支持装置と、
を備え、
前記制御装置は、全ての前記筐体が、前記支持装置によってその幅方向に移動自在に支持された請求項１に記載のエレベーター装置。
【請求項４】
前記昇降路内に設けられ、前記かご又はエレベーターのつり合いおもりの移動を案内するガイドレールと、
を備え、
前記支持装置は、前記ガイドレールに設けられた請求項２又は請求項３に記載のエレベーター装置。
【請求項５】
前記支持装置は、
前記固定体に設けられ、前記筐体の下部を支持する下部取付腕と、
前記固定体に設けられ、前記下部取付腕の上方に前記下部取付腕に対向するように配置され、前記筐体の上部を支持する上部取付腕と、
を備え、
前記筐体は、回転自在に設けられたローラーを有し、
前記下部取付腕及び前記上部取付腕の一方は、前記ローラーを案内するための案内手段が設けられた
請求項２又は請求項３に記載のエレベーター装置。
【請求項６】
前記下部取付腕及び前記上部取付腕の前記一方は、複数の前記案内手段が平行に並んで配置され、複数の前記筐体をその幅方向に個別に移動自在に支持する請求項５に記載のエレベーター装置。
【発明の詳細な説明】
【技術分野】
【０００１】
この発明は、エレベーターの巻上機と制御装置とが昇降路内に設置されたエレベーター装置に関するものである。
【背景技術】
【０００２】
下記特許文献１には、昇降路上方に機械室が設置されていない、所謂機械室レスのエレベーター装置が開示されている。機械室レスのエレベーター装置では、エレベーターの昇降路内に、巻上機やこの巻上機を制御する制御装置が設置されている。特に、特許文献１に記載のエレベーター装置では、各種制御機器を３つの筐体に収めて制御装置を構成し、この３つの筐体を昇降路内で上下に並べて配置している。
【先行技術文献】
【特許文献】
【０００３】
【特許文献１】特開２００３−２０１７１号公報
【発明の概要】
【発明が解決しようとする課題】
【０００４】
特許文献１に記載のものでは、制御装置を構成する３つの筐体を縦に並べて配置しているため、制御装置だけで、昇降路の高さ方向に広い空間を専有してしまう。特に、機械室レスのエレベーター装置では、巻上機等の各種機器を昇降路内に全て配置しなければならないため、特許文献１に記載のものでは、昇降路が短い場合に適用できないことがあった。
【０００５】
また、上述したように、制御装置の各筐体には、各種制御機器が納められている。これらの制御機器は互いに配線用ケーブルで接続する必要があるため、特許文献１に記載のものでは、筐体間を結ぶ配線用ケーブルが長くなり、コストが増加するといった問題もあった。
【０００６】
エレベーター装置では、定期的に、保守点検を行わなければならない。機械室レスのエレベーター装置では、作業員は、かごの上に乗って、昇降路内に設置された機器の保守点検を行う。特許文献１に記載のものでは、制御装置を構成する筐体が上下に並べて配置されているため、制御装置の保守点検時にかごを移動させなければならない。即ち、制御装置の保守点検を行うためだけに電源の投入と遮断とを繰り返す必要があり、作業性が著しく低下してしまう。
【０００７】
この発明は、上述のような課題を解決するためになされたもので、その目的は、コストの増加や保守点検時の作業性の悪化を伴うことなく、制御装置を昇降路内の狭い範囲に適切に設置することができるエレベーター装置を提供することである。
【課題を解決するための手段】
【０００８】
この発明に係るエレベーター装置は、エレベーターの昇降路内を昇降するかごと、昇降路内に設けられ、かごを駆動するための巻上機と、昇降路内に設けられ、巻上機への給電及び巻上機の制御を行うための機器が、幅よりも厚みが小さい複数の筐体に収められた制御装置と、を備え、制御装置は、少なくとも２つの筐体が、かごの昇降空間と一側の昇降路壁との間に、その厚み方向に並んで配置されたものである。
【発明の効果】
【０００９】
この発明に係るエレベーター装置であれば、コストの増加や保守点検時の作業性の悪化を伴うことなく、制御装置を昇降路内の狭い範囲に適切に設置することができるようになる。
【図面の簡単な説明】
【００１０】
【図１】この発明の実施の形態１におけるエレベーター装置の要部を示す斜視図である。
【図２】この発明の実施の形態１におけるエレベーター装置の要部を示す正面図である。
【図３】この発明の実施の形態１におけるエレベーター装置の要部を示す側面図である。
【図４】この発明の実施の形態１におけるエレベーター装置の要部を示す平面図である。
【図５】図１に示す制御装置の移動方向を説明するための図である。
【図６】この発明の実施の形態１におけるエレベーター装置の要部を示す分解斜視図である。
【図７】図６に示す制御装置の正面図及び側面図である。
【図８】図６に示す上部取付腕の斜視図である。
【図９】図６に示す上部取付腕の平面図及び正面図、断面図である。
【図１０】図６に示す下部取付腕の斜視図である。
【図１１】図６に示す下部取付腕の平面図及び正面図、断面図である。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベーター装置の要部を示す斜視図、図２はその正面図、図３はその側面図、図４はその平面図である。
【００１３】
図１乃至図４において、１はエレベーターの昇降路、２は昇降路１内に設けられたガイドレールである。ガイドレール２は、エレベーターのかご（図示せず）の移動を案内するためのものである。エレベーターのかごは、ガイドレール２に案内され、昇降路１内を鉛直方向に昇降する。
【００１４】
図１乃至図４に示すエレベーター装置には、昇降路１の上方にエレベーター専用の機械室が設置されていない。即ち、図１乃至図４は、機械室レスのエレベーター装置の要部を示している。このため、本エレベーター装置では、従来機械室に設置されていた各種機器が、昇降路１の内部に配置されている。例えば、かごを駆動するための巻上機（図示せず）や、各種制御を行うための制御装置３が、昇降路１内に設置されている。
【００１５】
制御装置３は、複数の筐体４乃至６を備えている。筐体４乃至６には、巻上機への給電や巻上機の制御を行うための各種制御機器が収められている。
【００１６】
一般に、エレベーターの制御装置には、主回路を備えた制御機器（以下、「第１制御機器」ともいう）と、他の機能を備えた制御機器（以下、「第２制御機器」ともいう）とが備えられる。
【００１７】
主回路を備えた制御機器は、巻上機のモータ出力に応じてその仕様や大きさが決まるため、エレベーターの機種によって仕様・大きさが異なる。このため、第１制御機器に対しては、インバーターや冷却のためのファンの大きさに応じて、それらを収納できる大きさの筐体が選定される。即ち、第１制御機器を収納する筐体は、エレベーターの機種によってその大きさが異なる。
【００１８】
一方、他の機能を備えた制御機器には、例えば、通信機能を有する回路や、電源機能を有する（制御回路全体に電源を供給するための）回路等が含まれる。これらの第２制御機器は、エレベーターの機種に関わらず共通であるものが多い。このため、エレベーターの機種に関わらず第２制御機器を共通の筐体に収納することができれば、生産性の向上やコストの低減を図ることが可能となる。
【００１９】
本エレベーター装置では、主回路を備えた制御機器を１つの筐体４に、他の機能を備えた制御機器を２つの筐体５及び６に収納している。なお、第２制御機器は、その全てを１つの筐体に収めても、３つ以上の筐体に分けて収めても構わない。筐体４乃至６は、例えば、幅よりも厚みが小さい直方体状を呈している。筐体４は、筐体５及び６と高さ及び幅が同じであるが、その厚みが大きい。筐体４乃至６は、かごが昇降する空間（昇降路１内においてかごが配置され得る空間のこと。以下、「昇降空間」ともいう。）と、昇降路１を形成する一側の昇降路壁７との間に、その厚み方向に並んで配置されている。即ち、制御装置３をその正面側（筐体４乃至６の一番広い側面側）から見ると、筐体４乃至６のうち、少なくとも２つが重なり合うように配置されている。
【００２０】
本実施の形態においては、第１制御機器を有する筐体４を前側（昇降空間側）に配置している。また、第２制御機器を有する一方の筐体６を奥側（昇降路壁７側）に、他方の筐体５を筐体４と筐体６との間に配置している。
【００２１】
８は制御装置３を支持する支持装置である。支持装置８は、ガイドレール２に設けられている。支持装置８は、制御装置３の筐体４乃至６を、その幅方向に水平に移動自在に支持する。図５は図１に示す制御装置の移動方向を説明するための図である。図５は、制御装置３の筐体４乃至６を上方から見た状態を示している。図５に示すように、筐体４乃至６は、それぞれが、昇降路壁７の壁面に沿って、その幅方向に個別に移動することができるように、支持装置８によって支持されている。
【００２２】
以下に、図６乃至図１１も参照し、制御装置３及び支持装置８の具体的構成について説明する。図６はこの発明の実施の形態１におけるエレベーター装置の要部を示す分解斜視図、図７は図６に示す制御装置の正面図及び側面図である。
図６にも示されているように、支持装置８は、下部取付腕９、上部取付腕１０により、その要部が構成される。
【００２３】
図８は図６に示す上部取付腕の斜視図、図９は図６に示す上部取付腕の平面図及び正面図、断面図、図１０は図６に示す下部取付腕の斜視図、図１１は図６に示す下部取付腕の平面図及び正面図、断面図である。図１０（ｃ）は図１０（ａ）のＡ−Ａ矢視を、図１１（ｃ）は図１１（ａ）のＢ−Ｂ矢視を示している。
【００２４】
制御装置３の筐体４乃至６は、各下端部に、ローラー１１が回転自在に設けられている。ローラー１１は、筐体４乃至６の厚み方向に軸方向を有している。１２は所定の長さ及び強度を備えた固定用ボルトである。筐体４乃至６は、各上面に、固定用ボルト１２を取り付けるためのネジ穴１３が形成されている。また、筐体４乃至６には、各下部の両側面に、開口１４が形成されている。開口１４は、配線用ケーブル（図示せず）を通すためのものである。即ち、筐体４乃至６の内部に配置された制御機器は、開口１４を通る配線用ケーブルによって外部の機器（他の筐体内の制御機器も含む）に接続されている。
【００２５】
支持装置８の下部取付腕９は、制御装置３（の各筐体４乃至６）の下部を支持するためのものである。下部取付腕９は、レールクリップ１５によってガイドレール２に固定される。下部取付腕９は、レールクリップ１５によってその取付部１６がガイドレール２に固定されることにより、板状を呈する支持部１７が、制御装置３の下方で水平に配置される。
【００２６】
下部取付腕９の支持部１７には、その上面に、各筐体４乃至６に設けられたローラー１１を案内するための案内溝（第１案内手段）１８が形成されている。本実施の形態では、制御装置３の全ての筐体４乃至６をその幅方向に移動自在に支持するため、支持部１７の上面には、筐体の数に合わせて、３本の案内溝１８が平行に並んで設けられている。
【００２７】
例えば、筐体４に設けられたローラー１１は、その下端部が、支持部１７の一番前側（昇降空間側）に形成された案内溝１８内に配置される。筐体４に設けられたローラー１１がその下端部を案内溝１８の内部に配置した状態で転がることにより、筐体４が、案内溝１８に沿って（即ち、その幅方向に）移動する。
筐体５及び６についても同様である。筐体５は、真ん中に形成された案内溝１８に案内され、また、筐体６は、一番奥側（昇降路壁７側）に形成された案内溝１８に案内されて、幅方向に水平に移動する。
【００２８】
支持装置８の上部取付腕１０は、制御装置３（の各筐体４乃至６）の上部を支持するためのものである。上部取付腕１０は、レールクリップ１９によってガイドレール２に固定される。上部取付腕１０は、レールクリップ１９によってその取付部２０がガイドレール２に固定されることにより、板状を呈する支持部２１が、制御装置３の上方で、下部取付腕９の支持部１７に対向するように水平に配置される。
【００２９】
上部取付腕１０の支持部２１には、その下面に、各筐体４乃至６に取り付けられた固定用ボルト１２を案内するための長孔（第２案内手段）２２が形成されている。本実施の形態では、制御装置３の全ての筐体４乃至６をその幅方向に移動自在に支持するため、支持部２１の下面には、筐体の数に合わせて、３本の長孔２２が平行に並んで設けられている。
【００３０】
例えば、固定用ボルト１２は、上部取付腕１０（の支持部２１）の上方から一番前側（昇降空間側）の長孔２２に通された後、筐体４の上面に形成されたネジ穴１３に締め付けられる。固定用ボルト１２を、その頭部が上部取付腕１０の支持部２１に接触するまでネジ穴１３に締め付けることにより、筐体４の上部を上部取付腕１０に固定することができる。この時、筐体４に設けられたローラー１１の下端部は、案内溝１８の内部に配置されている。
【００３１】
筐体５及び６についても同様である。固定用ボルト１２を真ん中の長孔２２に通した後に筐体５に形成されたネジ穴１３に締め付けることにより、筐体５の上部を上部取付腕１０に固定することができる。また、固定用ボルト１２を一番奥側（昇降路壁７側）の長孔２２に通した後に筐体６に形成されたネジ穴１３に締め付けることにより、筐体６の上部を上部取付腕１０に固定することができる。
【００３２】
一方、制御装置３の保守点検時等に筐体４を横方向にスライドさせる場合は、筐体４に固定された固定用ボルト１２を、その頭部が上部取付腕１０の支持部２１から離れるまで緩める。（この時、固定用ボルト１２を筐体４から取り外さない。）これにより、筐体４の上部の固定が解除され、筐体４をその幅方向に移動させることができるようになる。筐体４は、その下端部に設けられたローラー１１が案内溝１８を転がることにより、下部の移動が案内される。また、筐体４は、上端部に取り付けられた固定用ボルト１２が長孔２２を貫通した状態で移動することにより、上部の移動が案内される。
【００３３】
上記構成を有するエレベーター装置であれば、コストの増加や保守点検時の作業性の悪化を伴うことなく、制御装置３を昇降路１内の狭い範囲に適切に設置することができる。
【００３４】
即ち、本エレベーター装置では、制御装置３を構成する複数の筐体４乃至６を、かごの昇降空間と一側の昇降路壁７との間に、その厚み方向に並べて配置している。このため、昇降路１の高さに制約されることなく、制御装置３（の複数の筐体４乃至６）を、昇降路１の内部に配置することができる。また、筐体４乃至６は、その厚み方向に、それぞれが接近して配置されている。このため、筐体４乃至６の間を結ぶ配線用ケーブルを短くすることができ、例えば、配線用ケーブルを標準化してコストを抑えることが可能となる。
【００３５】
制御装置３を構成する複数の筐体４乃至６は、支持装置８によって幅方向に移動自在に支持されている。このため、昇降路１内のかごやロープ、制御ケーブルといった可動機器と筐体４乃至６との間に必要なクリアランスを設けることが容易となり、レイアウト性を向上させることができる。また、例えば、通信機能を備えた回路が納められた筐体６（或いは筐体５）を、主回路を有する筐体４から離れた位置に配置する等、筐体４内の冷却機構からの熱の影響やノイズの影響を回避するといった種々の対応が可能となる。
【００３６】
エレベーター装置では、定期的に、保守点検を行わなければならない。機械室レスのエレベーター装置では、作業員は、かごの上に乗って、昇降路１内に設置された機器の保守点検を行う。本エレベーター装置であれば、かごを所定の高さに停止させた状態で、全ての筐体４乃至６に対する保守点検作業を行うことができる。保守点検時は通常運転時とは異なり、上記可動機器との干渉がないことが確認できれば、通常運転時に配置できない位置に筐体４乃至６を配置することも可能である。このため、保守点検の作業内容に応じて筐体４乃至６を適切な位置に移動させることができ、作業性を大幅に向上させることが可能となる。なお、筐体４乃至６の正面側の側面（昇降空間側を向く側面）に点検口を形成しておけば、作業員は、かごの上から容易且つ安全に点検作業を行うことができる。
【００３７】
本実施の形態では、支持装置８をかごのガイドレール２に固定し、制御装置３の筐体４乃至６を支持する場合について説明した。エレベーターの昇降路１内には、かごのガイドレール２の他にも、つり合いおもりの移動を案内するガイドレール（図示せず）が設けられている。つり合いおもりのガイドレールは、かごのガイドレール２と同様の構成を有しているため、支持装置８をつり合いおもりのガイドレールに固定して、筐体４乃至６を支持しても良い。また、可能であれば、支持装置８を昇降路１内の他の固定体に固定しても構わない。
【００３８】
本実施の形態では、制御装置３の全ての筐体４乃至６を支持装置８によって移動自在に支持する場合について説明したが、制御装置３を構成する複数の筐体のうち、一部の筐体のみを移動自在に支持しても構わない。例えば、本実施の形態のように、筐体４が昇降空間側に、筐体６が昇降路壁７側に配置され、筐体５が筐体４と筐体５との間に配置されている場合、一番奥側の筐体６を支持装置８に固定して動かないようにし、前側２つの筐体４及び５を支持装置８によって移動自在に支持しても良い。また、筐体５及び６を幅方向に並べて同じ高さで支持装置８に固定し、その前側に筐体４を配置して、筐体４のみを支持装置８によって移動自在に支持しても良い。
【００３９】
本実施の形態では、ローラー１１が各筐体４乃至６の下部に取り付けられている場合について説明したが、筐体４乃至６の上部にローラー１１が取り付けられていても構わない。かかる場合、例えば、上部支持腕１０の支持部２１の上面に、ローラー１１が転がるための案内溝を形成すれば良い。
【符号の説明】
【００４０】
１  昇降路
２  ガイドレール
３  制御装置
４、５、６  筐体
７  昇降路壁
８  支持装置
９  下部取付腕
１０  上部取付腕
１１  ローラー
１２  固定用ボルト
１３  ネジ穴
１４  開口
１５、１９  レールクリップ
１６、２０  取付部
１７、２１  支持部
１８  案内溝
２２  長孔
【図１】
2012240775.tif 000003
【図２】
2012240775.tif 000004
【図３】
2012240775.tif 000005
【図４】
2012240775.tif 000006
【図５】
2012240775.tif 000007
【図６】
2012240775.tif 000008
【図７】
2012240775.tif 000009
【図８】
2012240775.tif 000010
【図９】
2012240775.tif 000011
【図１０】
2012240775.tif 000012
【図１１】
2012240775.tif 000013